(57)【要約】  【課題】  書画カメラ一体型投射装置において操作パネルの操作性の向上を図る。  【解決手段】  書画原稿を原稿面を下向きに透明板に載置して、カメラにより下方から撮像すると共に、この撮像によって得た画像データを投射する書画カメラ一体型投射装置であって、光源からの照明光を変調して投射レンズ３から映像光を射出する投射部と、透明板９とカメラを主要部とする書画撮像部と、透明板９の上方に開閉自在に設けられた原稿カバー４と、前記映像光の状態を操作するための操作パネル５とを有し、操作パネル５を原稿カバー４に設けることを特徴とする。【選択図】          図１
2006030525.tif 000002
【特許請求の範囲】
【請求項１】
書画原稿を原稿面を下向きに透明板に載置して、カメラにより下方から撮
像すると共に、この撮像によって得た画像データを投射する書画カメラ一体型投射装置で
あって、
光源からの照明光を変調して投射レンズから映像光を射出する投射部と、
前記透明板と前記カメラを構成要素の一部とする書画撮像部と、
前記透明板の上方に開閉自在に設けられた原稿カバーと、
少なくとも前記映像光の状態を操作するための操作パネルとを有し、
前記操作パネルが前記原稿カバーに設けられたことを特徴とする書画カメラ一体型投射装
置。
【請求項２】
前記原稿カバーは前記書画カメラ一体型投射装置の本体に対して開閉自在
であるとともに着脱自在であり、
この原稿カバーの少なくとも一対の対角に赤外線発光手段を設けたことを特徴とする請求
項１に記載の書画カメラ一体型投射装置。
【請求項３】
前記原稿カバーは開閉のためのヒンジを有し、
このヒンジの一端は前記本体に設けられた凹所に対して挿抜自在であり、
前記原稿カバーを前記本体から分離した場合には、前記一端が前記原稿カバーの脚部とし
て機能することを特徴とする請求項２に記載の書画カメラ一体型投射装置。
【請求項４】
少なくとも一つの前記ヒンジの一端は電気的な接触端子を有し、
この接触端子により前記本体の電源と前記原稿カバーに設けられた充電式電池とが接続さ
れることを特徴とする請求項３に記載の書画カメラ一体型投射装置。
【発明の詳細な説明】
【技術分野】
【０００１】
本発明は、外部からビデオ映像信号やパーソナルコンピュータの画面信号を入力して投
射する機能に加えて、被写体である書画原稿を撮像して投射する機能を有する書画カメラ
一体型投射装置に関するものである。
【背景技術】
【０００２】
表示すべき書画が描かれた透明フィルムに光を透過させ、これを投射する従来からある
ＯＨＰ（オーバーヘッドプロジェクタ）に替わって、近年では特許文献１に記載されてい
るように、ガラス等の透明板にカタログや書籍等を原稿面を下向きに載置し、下方からカ
メラで撮像して得た画像信号を液晶プロジェクタで投射することが一般に行われている。
【０００３】
このような従来の書画カメラ一体型投射装置を図８に基づいて説明する。図８は特許文
献２に記載されているもので、装置本体５１の上面を形成するフレーム５２に設けた開口
部を透明板であるガラス板５４で覆い、このガラス板５４上に原稿等の被投射物５５をそ
の投射すべき面を下にして載置し、ガラス板５４の下方に設けた光源５６からの光によっ
て照射し、その画像をカメラ５７によって撮像する構成を採っている。
【０００４】
その際、被投射物５５がずれたりしないように固定するとともに、被投射物５５を透過
した光源５６からの光およびガラス板５４の被投射物５５で覆われていない部分を透過し
た光源５６からの光が周囲に漏れたり、あるいは外光が侵入しカメラ５７に写り込むのを
防止するため、原稿カバー５８によって被投射物５５およびガラス板５４を覆っている。
【０００５】
図９はこのような書画カメラ一体型投射装置の外観であり、図８と同一の構成品は同一
の符号を付してある。ここでは本体５１のフレーム５２上に設けられた原稿カバー５８が
、閉じられた状態で描かれている。また、本体５１の一側面には投射レンズ５９が設けら
れフレーム５２には操作パネル６０が設けられている。
【０００６】
さらに、本体５１の他の一側面には入出力パネル６１が設けられ、これにはビデオ映像
信号やパーソナルコンピュータの画面信号のケーブルが接続され、外部からの信号も投射
レンズ５９から投射可能となっている。
【０００７】
これらの構成による書画カメラ一体型投射装置を使用する場合は、投射映像が見やすい
ように投射中に映像光の状態を操作するのが一般である。例えば投射対象が観賞用のビデ
オ映像であった場合は投射初期の設定を投射中に変更することは稀であるが、書画原稿を
用いてプレゼンテーションを行う場合には、投射中に頻繁に映像光の状態を変更すること
が想定される。
【０００８】
例えば一枚の書画原稿を投射しているあいだではズームや縦横スクロールを、複数の書
画原稿を差し替えて投射する場合は、前記ズームやスクロールに加えて縦横回転や明るさ
調節が行われるのが一般的である。また、プレゼンテーション中に書画原稿の投射と他の
外部信号とを切り換えることもある。
【０００９】
【特許文献１】特開平７−３６１１６号公報（第２頁、図１図２）
【特許文献２】特開平８−３１４００８号公報（第２頁、図５）
【発明の開示】
【発明が解決しようとする課題】
【００１０】
これらの操作は図９で示すように、本体５１に設けられた操作パネル６０あるいはリモ
ートコントローラ６２を操作することで行われる。しかしながら、書画カメラ一体型投射
装置も使用者からの軽薄短小化の要求の例外ではなく、装置の本体５１は書画原稿を載置
する機能を妨げない範囲で装置外形を極力小さくする必要があり、操作パネル６０の大き
さも制限を受ける。また、リモートコントローラ６２においても、片手に納まり自由に持
ち歩けることの要求から、その大きさに制限が生じる。
【００１１】
このことから、操作パネル全体の面積を十分に大きくすることが困難であるのに加え、
近年の技術進歩により投射映像の制御機能が多様になるのに伴って操作項目が増加してき
た。しかしながら、書画カメラ一体型投射装置が市場に広く受け入れられるようになると
、高齢者層や低年齢層が操作する場合も想定する必要が生じ、視力の低下した操作者や細
かい指先の動作が困難な操作者にも扱いやすい操作パネルが要求されてきた。
【００１２】
本発明は以上述べたような課題を解決すべく創出されたもので、書画カメラ一体型投射
装置に対して、装置本体の外形を大きくすることなく、視認性と操作性に優れた操作パネ
ルを供給することを目的としたものである。
【課題を解決するための手段】
【００１３】
本発明は第１の態様として、書画原稿を原稿面を下向きに透明板に載置して、カメラに
より下方から撮像すると共に、この撮像によって得た画像データを投射する書画書画カメ
ラ一体型投射装置であって、光源からの照明光を変調して投射レンズから映像光を射出す
る投射部と、前記透明板と前記カメラを構成要素の一部とする書画撮像部と、前記透明板
の上方に開閉自在に設けられた原稿カバーと、少なくとも前記映像光の状態を操作するた
めの操作パネルとを有し、前記操作パネルが前記原稿カバーに設けられたことを特徴とす
る書画カメラ一体型投射装置を提供する。
【００１４】
また本発明は第２の態様として、前記原稿カバーは前記書画カメラ一体型投射装置の本
体に対して開閉自在であるとともに着脱自在であり、この原稿カバーの少なくとも一対の
対角に赤外線発光手段を設けたことを特徴とする第１の態様として記載の書画カメラ一体
型投射装置を提供する。
【００１５】
さらに本発明は第３の態様として、前記原稿カバーは開閉のためのヒンジを有し、この
ヒンジの一端は前記本体に設けられた凹所に対して挿抜自在であり、前記原稿カバーを前
記本体から分離した場合には、前記一端が前記原稿カバーの脚部として機能することを特
徴とする第２の態様として記載の書画カメラ一体型投射装置を提供する。
【００１６】
加えて本発明は第４の態様として、少なくとも一つの前記ヒンジの一端は電気的な接触
端子を有し、この接触端子により前記本体の電源と前記原稿カバーに設けられた充電式電
池とが接続されることを特徴とする第３の態様として記載の書画カメラ一体型投射装置を
提供する。
【発明の効果】
【００１７】
本発明の第１の態様によれば、原稿カバー上面の大半の面積を操作パネルとして使用で
きるので、従来の操作パネルと比較して個々のスイッチの面積が大きくできる。したがっ
て、個々のスイッチの機能を表す表示も大きくすることができ、視力が低下したり手先に
よる細かい作業が苦手な操作者でも容易に認識および操作可能となる。
【００１８】
また投射時に、投射映像をより鮮明にするために環境光を暗くすることが一般に行われ
るが、この場合も操作パネルは前述したように大きなスイッチと大きな表示で構成されて
いるために認識しやすく、薄暗い環境下では視力の良い操作者にも効果を発揮する。
【００１９】
また本発明の第２の態様によれば、原稿カバーと本体とを分離可能とし、さらに無線で
通信可能としているので、これをリモートコントローラとして使用した場合にも、表示の
認識およびスイッチの操作を容易にする。
【００２０】
さらに本発明の第３の態様によれば、原稿カバーと一体となって本体から分離するヒン
ジが、原稿カバーの脚部の機能を果たすので、分離後卓上等に載置した場合にも下面が載
置面に接触することなく、原稿押さえ面である下面の傷の発生や汚れの付着を防ぐことが
でき、加えて本発明の第４の態様によれば、充電式電池の寿命が尽きるまで電池交換が不
要となり、保守の手間が省ける。
【００２１】
また、このように操作パネルを原稿カバーに設けるようにすると、書画カメラ一体型投
射装置本体の上面は原稿を載置するための面積だけ確保すればよいので、装置全体を小型
化することが可能となる。
【発明を実施するための最良の形態】
【００２２】
次に添付図面を参照して本発明に係る書画カメラ一体型投射装置の実施形態を詳細に説
明する。
【００２３】
図１は本発明に係る書画カメラ一体型投射装置の斜視図である。図１において１は書画
カメラ一体型投射装置、２は装置本体、３は投射レンズ、４は原稿カバー、５は操作パネ
ル、６は入出力パネルである。また、図１（ａ）は原稿カバーが閉じた状態、図１（ｂ）
は原稿カバーが開いた状態を示す。
【００２４】
ここで本装置の使用方法を説明する。まず、装置本体２に設けられた図示しない電源ス
イッチをＯＮし、装置全体の電源を立ち上げる。これにより、書画撮像部、画像処理部、
入出力部、制御部等が立上り、投射部においても光源ランプが点灯し、投射の準備が完了
する。次に、図１（ａ）で示す取っ手２０を持ち上げることにより、図１（ｂ）で示すよ
うに原稿カバー４を装置本体２から開く。
【００２５】
原稿カバー４には一対のヒンジ２１Ａ、２１Ｂが設けてあり、それぞれの回動部をはさ
んで一方は原稿カバー４に固定され、他方は装置本体に具設された凹所２２Ａ、２２Ｂに
挿入されている。またこのヒンジは弾性や摩擦を利用して、支える手を開放した場合にも
、開位置にある原稿カバー４が閉じることなく静止状態を保つようなっている
【００２６】
次に、ガラス製の透明板９上に図示しない書画原稿を原稿面を下向きにして載置する。
この透明板の下方には図示しない書画照明と図示しないカメラが設けられており、下向き
の原稿面には前記書画照明により所定の照明光が照射され、これを前記カメラが撮像する
。
【００２７】
この撮像により得た画像データは画像処理回路に送出され、このデータに基づいて変調
された投射光が投射レンズ３から射出される。また、このように書画画像を投射する以外
にも、装置本体２の側面に設けた入出力パネル６に外部からのビデオ信号やアナログＲＧ
Ｂ信号を入力して、ビデオ映像やパーソナルコンピュータの画面映像を投射することがで
きる。
【００２８】
ビデオ映像等の外部入力信号を投射するときはもちろんであるが、書画画像を投射する
場合にも通常は原稿カバー４を装置本体２側に閉じた状態で投射が行われるが、このとき
図１（ａ）で示すように閉じた状態の原稿カバー４の上面には操作パネル５が設けられて
いる。
【００２９】
操作パネル５は図２で示すように原稿カバー４の上面の大半を占有した大きさで設ける
ことが可能である。本実施例の場合は原稿カバー４の上面の外形寸法が縦２８０ｍｍ横３
２０ｍｍであるのに対し、操作パネル５の外形寸法は縦１６０ｍｍ横２００ｍｍである。
【００３０】
また、操作パネル４は例えば図３で示す内容で構成される。個々のスイッチは全てフラ
ットシートタイプの押しボタン式であり、入力切替１０、縦横スクロール１１、ズーム１
２、縦横回転１３、明るさ調整１４、書画画像メモリー操作１５のスイッチが設けられて
いる。
【００３１】
個々のスイッチは約□２５ｍｍの範囲での押下があれば反応する大きさに形成されてお
り、表面は操作パネル５全体を１枚のシートで覆うようにして、防塵および防滴の性能を
高めている。またここで前記シートにエンボス加工を施し、個々のスイッチに対応する位
置が緩やかな突起形状となるようにしてもよい。
【００３２】
次に、操作から動作までの構成を説明する。図４で示すように、操作者がこの操作パネ
ル５を操作すると、制御部１６がこの情報を受け取りこれに基づいて一対の赤外線発光部
７Ａ、７Ｂを駆動する。こうして発せられた信号は装置本体２に設けられた一対の赤外線
受光部８Ａ、８Ｂが受け取り、これに基づいて制御部１７は投射する映像光の状態、つま
り先に図３を用いて説明したような事項を制御する。
【００３３】
このとき図１（ａ）で示しているように、一対の赤外線発光部７Ａ、７Ｂはそれぞれ一
対の赤外線受光部８Ａ、８Ｂと対応し、同一の信号を並列に通信するものである。
また、本実施例では一組の対角に赤外線受発光部を設けたが、これを他の一組の対角に設
けてもよいし、二組の対角に設け４系統の並列通信を行うようにしてもよい。
【００３４】
次に、図５に基づいて原稿カバー４の取り付け構造を説明する。前述したように一対の
ヒンジ２１Ａ、２１Ｂは、装置本体２に設けられた一対の凹所２２Ａ、２２Ｂに挿抜自在
に挿入されており、原稿カバー４を上方に引き上げることで、装置本体２と分離すること
ができる。
【００３５】
ただし分離時には、意図しない分離を防ぐために所定の抵抗（クリック感）が発生する
ようにしてある。また、本実施例ではヒンジを一対としているがこれがさらに多数でもよ
いし、幅広の単独のヒンジでもよい。
【００３６】
このようにして装置本体２から分離した原稿カバー４は、図６で示すように装置本体２
の側方に配置してリモートコントローラとして使用することができる。このとき原稿カバ
ー４にある赤外線発光部７Ａ、７Ｂも装置本体２にある赤外線受光部８Ａ、８Ｂも角部に
設けられているため、原稿カバー４が装置本体２の周囲のいずれの方向にあっても通信可
能となる。例えば図６の実線で示す位置に原稿カバー４を配置した場合は、原稿カバー４
の赤外線発行部７Ｂの発光を装置本体２の赤外線受光部８Ａが受光することになる。
【００３７】
また、原稿カバー４は図７において側面図で示すように、原稿押さえ面である下面には
クッション層２３とシート２４が重ねて貼り付けられている。このクッション層は書画原
稿の折り目等による若干の凹凸を吸収して、均一に書画原稿を押さえるために配設された
ものである。また、シート２４は表面が滑らかなシートで、撮像すべき書画原稿の映像に
極力影響を与えないため、表面は白色に仕上げられている。したがって、原稿カバー４を
装置本体から分離して使用する場合には、極力シート２４の表面の傷の発生や汚れの付着
を回避することが望ましい。
【００３８】
そこで、図７で示すように原稿カバー４に固定されたヒンジ２１Ａ、２１Ｂの突出部が
載置面２５に当接し、シート２４の表面を載置面２５から離隔させ、傷の発生や汚れの付
着を低減することができる。さらにこのヒンジ２１Ａ、２１Ｂの突出部の先端表面をエラ
ストマ等の摩擦係数の高い素材にすることで、より脚部としての高い機能を付与すること
になる。
【００３９】
また、この操作パネル４の駆動電源は電池によるのが好適だが、さらに好適とするため
に本実施例の場合は前記電池を充電式電池とし、ヒンジ２１Ａ、２１Ｂの少なくとも一方
に電気的な接触子を設け、これが装置本体２の凹所２２Ａ、２２Ｂに挿入されている間に
装置本体２の電源と接続されるようにしたので、前記充電式電池に対する装置本体２から
の電力供給を可能とした。
【００４０】
以上原稿カバー４に設けた操作パネル５に関して詳しく説明したが、この操作パネル５
と従来の操作パネルあるいは従来のリモートコントローラは排他的なものではなく、操作
時には操作者の選択に委ねることとして、一つの装置として共存可能であることはいうま
でもない。
【図面の簡単な説明】
【００４１】
【図１】本発明の１実施形態を示す斜視図
【図２】本発明の１実施形態を示す平面図
【図３】本発明の１実施形態を示す平面図
【図４】本発明の１実施形態を示すブロック図
【図５】本発明の１実施形態を示す斜視図
【図６】本発明の１実施形態を示す斜視図
【図７】本発明の１実施形態を示す側面図
【図８】従来の技術を示す模式図
【図９】従来の技術を示す斜視図
【符号の説明】
【００４２】
１  書画カメラ一体型投射装置
２  装置本体
３  投射レンズ
４  原稿カバー
５  操作パネル
６  入出力パネル
７Ａ、７Ｂ  赤外線発光部
８Ａ、８Ｂ  赤外線受光部
９  透明板
１６、１７  制御部
２１Ａ、２１Ｂ  ヒンジ
２２Ａ、２２Ｂ  凹所
２３  クッション層
２４  シート
２５  載置面
【図１】
2006030525.tif 000003
【図２】
2006030525.tif 000004
【図３】
2006030525.tif 000005
【図４】
2006030525.tif 000006
【図５】
2006030525.tif 000007
【図６】
2006030525.tif 000008
【図７】
2006030525.tif 000009
【図８】
2006030525.tif 000010
【図９】
2006030525.tif 000011